(57)【要約】  本発明の自動変速機の制御装置は、無段変速機構（CVT）と、走行状態に基づいて目標変速比を演算する目標変速比演算部（101）と、前記無段変速機構（CVT）の状態を表す実値に基づいてフィードバック制御するフィードバック制御部（103）と、走行状態に基づいて前記フィードバック制御の位相進み補償を行う位相補償部（104）と、車両の不安定な走行状態を検出したときは、前記位相補償部（104）による位相進み補償を停止する位相補償制御部（109）と、を備える。本発明は、これにより、車両の挙動の変化を抑制することが可能となり、ひいては運転者に与える違和感を抑制し得る。
2017159203.tif 000002
【特許請求の範囲】
【請求項１】
無段変速機構と、  走行状態に基づいて目標変速比を演算する目標変速比演算部と、  前記無段変速機構の状態を表す実値に基づいてフィードバック制御するフィードバック制御部と、  走行状態に基づいて前記フィードバック制御の位相進み補償を行う位相補償部と、  車両の不安定な走行状態を検出したときは、前記位相補償部による位相進み補償を停止する位相補償制御部と、  を備えた自動変速機の制御装置。
【請求項２】
請求項１に記載の自動変速機の制御装置において、  動力源と前記無段変速機構との間に設けられ、ロックアップクラッチを有するトルクコンバータを備え、  前記位相補償制御部は、前記ロックアップクラッチが締結しているときに位相進み補償を停止するときは、前記ロックアップクラッチを解放する自動変速機の制御装置。
【請求項３】
請求項１または２に記載の自動変速機の制御装置において、  前記位相補償制御部は、前記位相進み補償を停止後、車速とアクセルペダル開度の値に基づいて設定される動作点が変化したときは、前記位相進み補償を復帰する自動変速機の制御装置。
【請求項４】
請求項１ないし３いずれか一つに記載の自動変速機の制御装置において、  前記位相補償制御部は、前記位相進み補償を停止後、運転者が操作するセレクトレバーのレンジ位置が変化したときは、前記位相進み補償を復帰する自動変速機の制御装置。
【請求項５】
請求項１ないし４いずれか一つに記載の自動変速機の制御装置において、  前記位相補償制御部は、位相進み補償を停止したときの車両の不安定な走行状態に応じて位相進み補償の復帰条件を変更する自動変速機の制御装置。
【請求項６】
請求項１ないし５いずれか一つに記載の自動変速機の制御装置において、  動力源と前記無段変速機構との間に設けられ、ロックアップクラッチを有するトルクコンバータを備え、  前記位相補償制御部は、ロックアップクラッチを解放後、前記位相進み補償の復帰条件に基づいて前記ロックアップクラッチを締結する締結タイミングは、前記位相進み補償を停止したときの車両の不安定な走行状態として車両の前後加速度が振動した走行状態の場合の締結タイミングよりも、前記位相進み補償を停止したときの車両の不安定な走行状態として前記フィードバック制御部の指令信号の発散又は油振が検知された走行状態の場合の締結タイミングのほうが早い自動変速機の制御装置。
【発明の詳細な説明】
【技術分野】
【０００１】  本発明は、車両に搭載される無段変速機構を備えた自動変速機の制御装置に関する。
【背景技術】
【０００２】  従来、特許文献１には、目標変速比となるように制御する際、位相進み補償を行って変速制御を行う技術が開示されている。【０００３】  しかしながら、位相進み補償を行う際の位相進み量は、走行状態に応じて最適値が異なるため、走行状態によっては適切な位相進み補償が行えず、運転者に違和感を与えるおそれがあった。
【先行技術文献】
【特許文献】
【０００４】
【特許文献１】特開２００２−１０６７００号公報
【発明の概要】
【０００５】  本発明は上記課題に着目してなされたもので、走行状態に寄らず運転者に与える違和感を抑制することができる自動変速機の制御装置を提供することを目的とする。上記目的を達成するため、本発明の自動変速機の制御装置では、無段変速機構と、走行状態に基づいて目標変速比を演算する目標変速比演算部と、前記無段変速機構の状態を表す実値に基づいてフィードバック制御するフィードバック制御部と、走行状態に基づいて前記フィードバック制御の位相進み補償を行う位相補償部と、車両の不安定な走行状態を検出したときは、前記位相補償部による位相進み補償を停止する位相補償制御部と、を備えた。
【０００６】  よって、車両の不安定な状態を検出したときは、位相進み補償を停止するため、運転者に与える違和感を抑制できる。
【図面の簡単な説明】
【０００７】
【図１】実施例１の無段変速機の制御装置を表すシステム図である。
【図２】実施例１のコントロールユニット内の概略を表す制御ブロック図である。
【発明を実施するための形態】
【０００８】  〔実施例１〕  図１は実施例１の自動変速機の制御装置を表すシステム図である。実施例１の車両は、内燃機関であるエンジン1と、自動変速機とを有し、ディファレンシャルギヤを介して駆動輪であるタイヤ8に駆動力を伝達する。自動変速機からタイヤ8へと接続する動力伝達経路を総称してパワートレーンPTと記載する。
【０００９】  自動変速機は、トルクコンバータ2と、オイルポンプ3と、前後進切替機構4と、無段変速機構（ベルト式無段変速機構）CVTとを有する。トルクコンバータ2は、エンジン1に連結されオイルポンプ3を駆動する駆動爪と一体に回転するポンプインペラ2bと、前後進切替機構4の入力側（無段変速機構CVTの入力軸）と接続されるタービンランナ2cと、これらポンプインペラ2bとタービンランナ2cとを一体的に連結可能なロックアップクラッチ2aとを有する。前後進切替機構4は、遊星歯車機構と複数のクラッチ4aから構成されており、クラッチ4aの締結状態によって前進と後進とを切り替える。無段変速機構CVTは、前後進切替機構4の出力側（無段変速機の入力軸）と接続されたプライマリプーリ5と、駆動輪と一体に回転するセカンダリプーリ6と、プライマリプーリ5とセカンダリプーリ6との間に巻回され動力伝達を行うベルト7と、各油圧アクチュエータに対して制御圧を供給するコントロールバルブユニット20と、を有する。
【００１０】  コントロールユニット10は、運転者の操作によりレンジ位置を選択するシフトレバー11からのレンジ位置信号（以下、レンジ位置信号をそれぞれPレンジ，Rレンジ，Nレンジ，Dレンジと記載する。）と、アクセルペダル開度センサ12からのアクセルペダル開度信号（以下、APO）と、ブレーキスイッチ17からのブレーキペダルON・OFF信号と、プライマリプーリ5の油圧を検出するプライマリプーリ圧センサ15からのプライマリプーリ圧信号と、セカンダリプーリ6の油圧を検出するセカンダリプーリ圧センサ16からのセカンダリプーリ圧信号と、プライマリプーリ5の回転数を検出するプライマリプーリ回転数センサ13からのプライマリ回転数信号Npriと、セカンダリプーリ6の回転数を検出するセカンダリプーリ回転数センサ14からのセカンダリ回転数信号Nsecと、エンジン回転数を検出するエンジン回転数センサ18からのエンジン回転数信号Neと、車両の前後加速度を検出するGセンサ19からの加速度信号Gとを読み込む。尚、プライマリ回転数信号Npriは、Dレンジの場合、クラッチ4aの締結によりタービン回転数と一致することから、以下、タービン回転数Ntとも記載する。
【００１１】  コントロールユニット10は、レンジ位置信号に応じたクラッチ4aの締結状態を制御する。具体的にはPレンジもしくはNレンジであればクラッチ4aは解放状態とし、Rレンジであれば前後進切替機構4が逆回転を出力するようにコントロールバルブユニット20に制御信号を出力し、後進クラッチ（もしくはブレーキ）を締結する。また、Dレンジであれば前後進切替機構4が一体回転して正回転を出力するようにコントロールバルブユニット20に制御信号を出力し、クラッチ4aを締結する。また、セカンダリ回転数に基づいて車速VSPを算出する。
【００１２】  図２は実施例１のコントロールユニット10内における制御構成を表すブロック図である。コントロールユニット10は、目標変速比演算部101と、偏差演算部102と、フィードバック制御部103と、位相補償部104と、加算部105と、指令信号発散検知部106と、油振検知部107と、車両振動検知部108と、位相補償制御部109と、ロックアップクラッチ2aの締結状態を制御するロックアップ制御部110と、を有する。
【００１３】  目標変速比演算部101では、APO信号と車速VSPとに基づいて最適な燃費状態を達成可能な変速マップから目標変速比ir*を演算する。偏差演算部102では、無段変速機構CVTの状態を表す実値であるプライマリ回転数信号Npriとセカンダリ回転数信号Nsecとに基づく実変速比irを検出し、実変速比irと目標変速比ir*との偏差を演算する。フィードバック制御部103では、設定された目標変速比ir*と無段変速機構CVTの状態を表す実値である実変速比irとが一致するようにプーリ油圧を制御するソレノイドに対するフィードバック指令信号を演算する。
【００１４】  位相補償部104では、フィードバック制御部103により演算された指令信号に対し、走行状態に応じた位相進み量αを演算し、位相進み量αに基づく位相補償信号を演算する。加算部105では、フィードバック指令信号に位相補償信号を加算して最終的な指令信号を演算する。指令信号発散検知部106では、最終的な指令信号が発散しているか否かを検知し、発散していない場合は発散フラグF1をOFFとし、発散している場合は発散フラグF1をONとする。ここで、指令信号の発散は、周波数が所定値以上で、かつ、振幅が所定値以上の状態が所定時間継続したか否かに基づいて検知する。
【００１５】  油振検知部107では、まず、プライマリプーリ圧センサ15及びセカンダリプーリ圧センサ16によって検出された電圧信号を油圧信号に変換し、バンドバスフィルタ処理によってDC成分（制御指令に応じた変動成分）を除去し、振動成分のみを抽出する。そして、振動成分の振幅を算出し、プライマリプーリ圧もしくはセカンダリプーリ圧のいずれかの振幅が所定振幅以上の状態が所定時間以上継続した場合には、油振フラグF2をONとする。一方、油振フラグF2がONの状態で、振幅が所定振幅未満の状態が所定時間以上継続した場合には、油振フラグF2をOFFとする。
【００１６】  車両振動検知部108では、Gセンサ19により検出された前後加速度の振動成分を抽出し、振動成分の振幅が所定値以上の状態が所定時間以上継続した場合には、振動フラグF3をONとする。一方、振動成分の振幅が所定未満の状態が所定時間以上継続した場合には、振動フラグF3をOFFとする。
【００１７】  位相補償制御部109では、発散フラグF1，油振フラグF2，振動フラグF3の情報及びレンジ位置信号を読み込むと共に、VSPとAPOにより規定される動作点を演算する。そして、エンジン始動後、各種フラグが全てOFFの場合には、位相補償部104での位相補償信号の出力を許可する信号を出力する。一方、いずれか一つのフラグがONとなった場合には、位相補償部104での位相補償信号の出力を禁止する信号を出力すると共に、ロックアップクラッチ2aを解放する指令を出力する。
【００１８】  すなわち、発散フラグF1，油振フラグF2，振動フラグF3のいずれかがONとなった場合、位相補償部104から位相補償信号が出力されることによって、かえって指令信号の振動が大きくなるおそれがあり、振動が増幅されるおそれがある。よって、位相補償信号の出力を禁止することで、フィードバック制御のみを機能させることとした。これにより、ロバスト性の高い制御構成を得ることができる。また、ロックアップクラッチ2aを解放することで、パワートレーンPTの質量は、エンジン質量が加算された質量からエンジン質量を除いた質量へと変更することができる。共振周波数はパワートレーンPTの質量と相関を有するため、質量を変更することで共振周波数を移動させることができ、振動を抑制することができる。
【００１９】  また、位相補償制御部109では、位相補償部104からの位相補償信号の出力を禁止後であっても、発散フラグF1もしくは油振フラグF2がONとなることで禁止した場合であって、その後、全てのフラグがOFFとなった場合には、以下の復帰条件が成立することで位相補償部104からの位相補償信号の出力を再開すると共に、ロックアップクラッチ2aの締結を許可する。（復帰条件１）動作点が移動した場合（復帰条件２）レンジ位置信号が変化した場合尚、全てのフラグは、イグニッションスイッチがオフとなったときにOFFにリセットされるため、次のイグニッションスイッチがオンとなった時には、ロックアップクラッチ2aの締結や位相補償信号の出力が通常制御通りに実行される。
【００２０】  すなわち、ロックアップクラッチ2aは、エンジン1と自動変速機との間の動力伝達経路を直結する役割を有し、燃費の改善に寄与する。よって、ロックアップクラッチ2aを解放させたままでは、燃費を十分に改善できないおそれがある。共振等の振動現象は、VSPやAPOにより定まる動作点に依存して生じる現象であるため、動作点が振動発生時動作点から他の動作点に移動した場合には、振動発生時動作点における振動を回避できる。よって、動作点が変化した場合は、位相補償信号の出力を再開すると共にロックアップクラッチ2aの再締結を許可する。また、DレンジからNレンジ等に変更された場合には、パワートレーンPTの状態が変更されるため、振動現象を回避できる可能性が高い。そこで、レンジ位置信号が変化した場合には、位相補償信号の出力を再開すると共にロックアップクラッチ2aの再締結を許可する。これにより、走行中における位相補償及びロックアップクラッチ2aの締結状態を確保しやすくなり、制御性を確保しつつ燃費の向上を図ることができる。
【００２１】  一方、振動フラグF3がONとなった場合には、例え各フラグが全てOFFとなった場合であっても、イグニッションスイッチがオフとなるまで位相補償信号の出力を禁止すると共に、ロックアップクラッチ2aの締結を禁止する。すなわち、発散フラグF1や油振フラグF2がONとなった状態では、必ずしもそれらの現象が車両挙動に表れていない。車両挙動に現れる前に位相補償信号の出力を禁止し、発散フラグF1や油振フラグF2がOFFとなれば、再度、位相補償信号の出力を開始する、もしくはロックアップクラッチ2aを締結する機会を与えても、車両挙動に与える影響は小さい。しかしながら、振動フラグF3がONとなった場合は、実際の車両挙動に振動が生じている状態であり、再度、位相補償信号の出力を開始する、もしくはロックアップクラッチ2aの締結を許可した場合には、実際に車両挙動の振動が生じることで運転者に違和感を与えやすい。そこで、振動フラグF3がONとった場合は、例え、その後、振動フラグF3がOFFに切り替わったとしてもロックアップクラッチ2aの締結を禁止する。
【００２２】  以上説明したように、実施例にあっては下記に列挙する作用効果が得られる。  （１）プライマリプーリ5とセカンダリプーリ6との間にベルト7を巻装し、プライマリプーリ5とセカンダリプーリ6とにおけるベルト挟持圧を制御して変速する無段変速機構CVTと、走行状態に基づいて目標変速比ir*を演算する目標変速比演算部101と、無段変速機構CVTの状態を表す実値に基づいてフィードバック制御するフィードバック制御部103と、走行状態に基づいてフィードバック制御の位相進み補償を行う位相補償部104と、車両の不安定な走行状態を検出したときは、位相補償部104による位相進み補償を停止する位相補償制御部109と、を備えた。よって、制御の安定化を図ることが可能となり、車両挙動を安定化できる。
【００２３】  （２）エンジン1（動力源）と無段変速機構CVTとの間に設けられ、ロックアップクラッチ2aを有するトルクコンバータ2を備え、位相補償制御部109は、ロックアップクラッチ2aが締結しているときに位相進み補償を停止するときは、ロックアップクラッチ2aを解放する。よって、パワートレーンPTの質量を変更することで共振周波数を変更し、振動を抑制できる。また、車両前後加速度が振動した場合であっても、ロックアップクラッチ2aを解放することでエンジン1と自動変速機とを流体を介して接続でき、駆動輪との間の振動現象を抑制できる。
【００２４】  （３）位相補償制御部109は、位相進み補償を停止後、車速VSPとアクセルペダル開度APOの値に基づいて設定される動作点が変化したときは、位相進み補償を復帰する。すなわち、動作点が変化すれば、振動が発生する走行状態から離脱している可能性が高いため、より多くの走行状態で位相補償信号を出力できる。
【００２５】  （４）位相補償制御部109は、位相進み補償を停止後、運転者が操作するセレクトレバーのレンジ位置が変化したときは、位相進み補償を復帰する。すなわち、レンジ位置が変化すれば、振動が発生する走行状態から離脱している可能性が高いため、より多くの走行状態で位相補償信号を出力できる。
【００２６】  （５）位相補償制御部109は、位相進み補償を停止したときの車両の不安定な走行状態に応じて位相進み補償の復帰条件を変更する。すなわち、車両の不安定な走行状態と判断された場合であっても、実際に車両挙動として不安定な状態が表れている場合には復帰を制限し、制御上不安定な状態となるが実際には車両挙動にまで反映されていない場合には復帰を促すことで、不安定な状態を回避しつつ位相進み補償可能な走行状態を確保できる。
【００２７】  （６）位相補償制御部109は、ロックアップクラッチ2aを解放後、位相進み補償の復帰条件に基づいてロックアップクラッチ2aを締結する締結タイミングは、位相進み補償を停止したときの車両の不安定な走行状態として車両の前後加速度が振動した走行状態の場合の締結タイミングよりも、位相進み補償を停止したときの車両の不安定な走行状態としてフィードバック制御部の指令信号の発散又は油振が検知された走行状態の場合の締結タイミングのほうが早い。具体的には、振動フラグF3がONとなり、その後OFFとなった場合は、次回のイグニッションスイッチがオフとなるまではロックアップクラッチ2aの締結を禁止することで実際に車両挙動に与える影響を回避する。一方、発散フラグF1や油振フラグF2がONとなり、その後OFFとなった場合は、動作点もしくはレンジ位置が変化したことを条件としてロックアップクラッチ2aの締結を許可する。すなわち、必ずしも振動が車両挙動に表れていない状態であれば、発散フラグF1や油振フラグF2がOFFとなれば、再度、ロックアップクラッチ2aを締結する機会を与えても、車両挙動に与える影響は小さい。よって、車両挙動に与える影響を抑制しつつ、ロックアップクラッチ2aの締結状態を確保しやすくすることで燃費の向上を図ることができる。
【図１】
2017159203.tif 000003
【図２】
2017159203.tif 000004
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
無段変速機構と、
走行状態に基づいて目標変速比を演算する目標変速比演算部と、
前記無段変速機構の状態を表す実値に基づいてフィードバック制御するフィードバック制御部と、
走行状態に基づいて前記フィードバック制御の位相進み補償を行う位相補償部と、
車両の不安定な走行状態を検出したときは、前記位相補償部による位相進み補償を停止する位相補償制御部と、
動力源と前記無段変速機構との間に設けられ、ロックアップクラッチを有するトルクコンバータと、を備え、
前記位相補償制御部は、前記ロックアップクラッチが締結しているときに位相進み補償を停止するときは、前記ロックアップクラッチを解放する自動変速機の制御装置。
【請求項２】
請求項１に記載の自動変速機の制御装置において、
前記位相補償制御部は、前記位相進み補償を停止後、車速とアクセルペダル開度の値に基づいて設定される動作点が変化したときは、前記位相進み補償を復帰する自動変速機の制御装置。
【請求項３】
請求項１または２に記載の自動変速機の制御装置において、
前記位相補償制御部は、前記位相進み補償を停止後、運転者が操作するセレクトレバーのレンジ位置が変化したときは、前記位相進み補償を復帰する自動変速機の制御装置。
【請求項４】
請求項１ないし３いずれか一つに記載の自動変速機の制御装置において、
前記位相補償制御部は、位相進み補償を停止したときの車両の不安定な走行状態に応じて位相進み補償の復帰条件を変更する自動変速機の制御装置。
【請求項５】
請求項１ないし４いずれか一つに記載の自動変速機の制御装置において、
動力源と前記無段変速機構との間に設けられ、ロックアップクラッチを有するトルクコンバータを備え、
前記位相補償制御部は、ロックアップクラッチを解放後、前記位相進み補償の復帰条件に基づいて前記ロックアップクラッチを締結する締結タイミングは、前記位相進み補償を停止したときの車両の不安定な走行状態として車両の前後加速度が振動した走行状態の場合の締結タイミングよりも、前記位相進み補償を停止したときの車両の不安定な走行状態として前記フィードバック制御部の指令信号の発散又は油振が検知された走行状態の場合の締結タイミングのほうが早い自動変速機の制御装置。
【手続補正２】
【補正対象書類名】明細書
【補正対象項目名】０００５
【補正方法】変更
【補正の内容】
【０００５】
本発明は上記課題に着目してなされたもので、走行状態に寄らず運転者に与える違和感を抑制することができる自動変速機の制御装置を提供することを目的とする。上記目的を達成するため、本発明の自動変速機の制御装置では、無段変速機構と、走行状態に基づいて目標変速比を演算する目標変速比演算部と、前記無段変速機構の状態を表す実値に基づいてフィードバック制御するフィードバック制御部と、走行状態に基づいて前記フィードバック制御の位相進み補償を行う位相補償部と、車両の不安定な走行状態を検出したときは、前記位相補償部による位相進み補償を停止する位相補償制御部と、動力源と前記無段変速機構との間に設けられ、ロックアップクラッチを有するトルクコンバータと、を備え、前記位相補償制御部は、前記ロックアップクラッチが締結しているときに位相進み補償を停止するときは、前記ロックアップクラッチを解放する。
【国際調査報告】
2017159203.tif 000005
2017159203.tif 000006
2017159203.tif 000007
2017159203.tif 000008